(57)【要約】【課題】            一般的なバレルめっき装置におけるバレルは常に定速での回転を続けているため、バレル内でワークが重合したり、絡み合ったりしてしまった場合、その状態を解消させる手段が格別に存在せず、めっきにむら等の不良が発生してしまうことがあるという点である。【解決手段】        一対の相対向する支持板間に、駆動モータと伝動されるギア機構によって回転される断面正多面体としたバレルを有するバレルめっき装置において、前記したギア機構の最終的な減速大径ギアと前記したバレルの一方側板とを軸支し、そのバレルの一方側板と前記した減速大径ギア間には軸の周囲に捩りスプリングを介在させてあることとし、前記したバレルの一方側板の周面には円周接線に沿うテーパ面を有する突出部が一体的に形成されていることとし、前記したバレルの一方側板の周面には常時下方へ附勢されたローラが転接されていることとする。【選択図】          図１
2006037191.tif 000002
【特許請求の範囲】
【請求項１】
一対の相対向する支持板間に、駆動モータと伝動されるギア機構によって回転される断面正多面体としたバレルを有するバレルめっき装置において、前記したギア機構の最終的な減速大径ギアと前記したバレルの一方側板とを軸支し、そのバレルの一方側板と前記した減速大径ギア間には軸の周囲に捩りスプリングを介在させてあることを特徴とするバレルめっき装置。
【請求項２】
前記した捩りスプリングの両端は各々減速大径ギアとバレルの一方側板に形成されている受穴に嵌合されていることを特徴とする請求項１に記載のバレルめっき装置。
【請求項３】
前記したバレルの一方側板の周面には円周接線に沿うテーパ面を有する突出部が一体的に形成されていることを特徴とする請求項１または請求項２に記載のバレルめっき装置。
【請求項４】
前記した突出部は最頂部を境としてテーパ角が非対称とされていることを特徴とする請求項３に記載のバレルめっき装置。
【請求項５】
前記したバレルの一方側板の周面には常時下方へ附勢されたローラが転接されていることを特徴とする請求項１、請求項２、請求項３または請求項４に記載のバレルめっき装置。
【請求項６】
前記したローラの附勢はシリンダ内を摺動するピストンに付設されたスプリングとしたことを特徴とする請求項５に記載のバレルめっき装置。
【発明の詳細な説明】
【技術分野】
【０００１】
本発明はバレルめっき装置に関し、特にビスや袋ナット等の比較的小型のワーク表面に対するめっき処理を行ない、そのめっき処理を一層効率よく、むらが生じることがないように実行することができることとしたバレルめっき装置に関する。
【背景技術】
【０００２】
一般的に、バレルめっき装置はビス、ナット、袋ナット等の比較的小型のワーク外表面に対してめっきをするために利用されている。バレルは体積変化とめっき液流入の効率性から断面を正六角形としたものが主流となっており、そのバレルの一方側の円状とした側板の外周面にギアを形成し、駆動モータからギア伝動メカニズムを介して減少された一定速度での回転がなされるものとなっている。
【０００３】
そのバレルの胴壁板にはめっき液が出入するための通液孔が多数穿設され、その通液孔のサイズはワークがこぼれ出ることがない小さなものとされている。バレル内に投入されたワークはバレルの回転に伴なって、バレル内で一定方向へ運ばれ、滑り落下される動作が繰り返されることとなる。また、胴壁板のうち一枚はバレル内にワークを出入させるための開口を閉塞する蓋体とされ、バレルに対して着脱が自在となっている。
【０００４】
また、一般的なバレルめっき装置はめっき液の抵抗等の関係から陽極はバレル外に配備され，ワーク自体を陰極として金属イオンを含んだ電解質溶液からワークの外表面に目的金属の薄膜を析出させて形成していくものとなっている。
【０００５】
しかしながら、この従来のバレルめっき装置にあっては、バレルが常に定速での回転を続けているため、時としてバレル内でワークが重合したり、絡まってしまった場合等に、その状態での作業が続行されてしまい、めっきにむらが生じてしまう等の不良が発生してしまうことがあった。
【特許文献１】本発明について、出願人は先行する技術の調査を行なったが、格別に類似していると思われる文献は発見することができなかった。
【発明の開示】
【発明が解決しようとする課題】
【０００６】
本発明が解決しようとする問題点は、一般的なバレルめっき装置におけるバレルは常に定速での回転を続けているため、バレル内でワークが重合したり、絡み合ったりしてしまった場合、その状態を解消させる手段が格別に存在せず、めっきにむら等の不良が発生してしまうことがあるという点である。
【課題を解決するための手段】
【０００７】
上記した問題点を解決するために、本発明に係るバレルめっき装置は一対の相対向する支持板間に、駆動モータと伝動されるギア機構によって回転される断面正多面体としたバレルを有するバレルめっき装置において、前記したギア機構の最終的な減速大径ギアと前記したバレルの一方側板とを軸支し、そのバレルの一方側板と前記した減速大径ギア間には軸の周囲に捩りスプリングを介在させてあることを特徴とし、前記した捩りスプリングの両端は各々減速大径ギアとバレルの一方側板に形成されている受穴に嵌合されていることを特徴としている。
【０００８】
また、本発明に係るバレルめっき装置は前記したバレルの一方側板の周面には円周接線に沿うテーパ面を有する突出部が一体的に形成されていることを特徴とし、前記した突出部は最頂部を境としてテーパ角が非対称とされていることを特徴としている。
【０００９】
さらに、本発明に係るバレルめっき装置は前記したバレルの一方側板の周面には常時下方へ附勢されたローラが転接されていることを特徴とし、前記したローラの附勢はシリンダ内を摺動するピストンに付設されたスプリングとしたことを特徴としている。
【発明の効果】
【００１０】
上記した構成としたことによって、当初減速大径ギアと同期して回転されていたバレルは、一方側板の周面と転接してローラが、そのバレルの回転により、徐々に一方側板の周面に形成されている突出部と転接を開始する。突出部はローラをスプリングで下方に附勢しているピストンに抗して持ち上げることとなり、この時バレルの回転にはブレーキがかけられることになる。
【００１１】
減速大径ギアは相変らずに一定速度での回転を続けているので、この回転速度差により捩りスプリングが捩り上げられ、復帰のためのパワーが蓄積されていく。ここで突出部からローラの転接が外れると、捩りスプリングは一気に復帰パワーを解放することとなり、この時にバレルには大きな揺振動が加えられることになる。この揺振動により、バレル内のワークは振り混ぜられることとなって重合や絡み合いが解消されることになり、めっきにむら等の不良を生じてしまうことがなくなるのである。
【発明を実施するための最良の形態】
【００１２】
図面で示す実施例のように構成される形態とすることで実現した。
【実施例１】
【００１３】
次に、本発明の好ましい実施の一例を図面を参照して説明する。図１は本発明を実施したバレルめっき装置を示す正面図、図２は同じく側面図、図３は同じく捩りスプリングを示す拡大図、図４は同じく突出部とローラの関係を示す図、図５は同じくローラの取付状態を示す正面図である。
【００１４】
これらの図にあって１はバレルめっき装置本体を示しており、このバレルめっき装置本体１は、一対の相対向するアクリル等のプラスチック製の支持板２ａ、２ｂを有している。この各支持板２ａ、２ｂの各下端前後には据え置き時に安定をはかるための突起３、３が一体的に設けられており、各支持板２ａと２ｂの突起３、３‥間には補強用のバー４、４が渡され備えられている。
【００１５】
また、前記した支持板２ａ、２ｂの上端寄りの略中央部分には、このバレルめっき装置本体１を搬送したり吊持したりする際に使用されるグリップバー５が渡され備えられている。さらに、支持板２ａ、２ｂ間の上方寄りには一対のパイプ６、６とそのパイプ６、６に固定されたアクリル等のプラスチック製による駆動モータ７の取り付け部８が形成されている。
【００１６】
前記した駆動モータ７のモータ軸には起動ギア９が取り付けられており、この起動ギア９には前記したパイプ６、６間の位置から順次同径とした複数の伝動ギア１０ａ、１０ｂ、１０ｃが噛合されている。なお、この伝動ギア１０ａ、１０ｂ、１０ｃは本実施例において、支持板２ａの内側面に設けられた受板１１に軸支された構成となっている。
【００１７】
また、図中１２は減速大径ギアであり、この減速大径ギア１２は支持板２ａに軸支され、最終的に伝動ギア１０ｃと噛合され回転されるものとなっている。この減速大径ギア１２には軸１３を介してバレル１４が連結されており、このバレル１４は減速大径ギア１２から回転力を伝達されてその減速大径ギア１２と同期して回転されるものとされている。
【００１８】
バレル１４は全体をアクリル等のプラスチックで成形された正六角柱体となっており、前記した軸１３はその一方の円状側板１５と連結されている。この円状側板１５と前記した減速大径ギア１２との間には軸１３の周囲に位置される捩りスプリング１６が取り付けられている。この捩りスプリング１６の取り付けは捩りスプリング１６の各端部を減速大径ギア１２と円状側板１５に形成された受穴に嵌合させることによりなされるが、保全のため、減速大径ギア１２及び円状側板１５に同心状に固設された補強環状体１２ａ、１５ａに前記受穴を形成することもできる。
【００１９】
バレル１４の胴壁板１７、１７‥には多数のめっき液の通液孔が形成されており、ワークを出入させる開口に着脱自在に備えられた蓋体１８にも前記通液孔は同様に形成されたものとなっている。蓋体１８が装着される開口に沿って一対の翼体１９、１９が設けられており、この翼体１９、１９の対向位置に形成されている長穴にロックプレート２０、２０の端部が挿入されることで蓋体１８は装着される。２０ａ、２０ａはロックプレート２０、２０を回動操作するための摘みである。なお、図中２１は電極を示している。
【００２０】
また、バレル１４の円状側板１５の外周面には頂部をアール面とした山形の突出部２２が一体的に形成されている。この突出部２２は回転方向に沿った前方のテーパ面の傾斜角度を緩く、後方を急激なものとし、テーパ角を非対称に構成したものとなっている。
【００２１】
さらに、前記した円状側板１５の外周面には常時ローラ２３が転接されている。このローラ２３は前記した取り付け部８の下面に固定されたシリンダー２４内を上下方向に摺動するピストン部材２５の先端に回転自在に軸支されている。
【００２２】
このローラ２３の軸支はピストン部材２５の下端に平板部２５ａを形成して、この平板部２５ａに一対の支持プレート２６、２６を固着し、その支持プレート２６、２６の遊端間にローラ２３を挟持して軸２６で支持した構成としてある。
【００２３】
前記したピストン部材２５はシリンダー２４内にあってコイルスプリング２７によって常に下方へ附勢されており、この附勢力はシリンダー２４に形成されたガイド長孔２８に沿ってピストン部材２５に突設されたストッパピン２９を設けることで規制されている。
【００２４】
本実施例に係るバレルめっき装置本体１は上記のように構成されている。駆動モータ７が起動されると、ギア機構を介して減速大径ギア１２が回転し、その回転と同期してバレル１４も回転を開始する。このバレル１４の回転に伴なって円状側板１５も回転するが、転接しているローラ２３が突出部２２との転接が開始されると、突出部２２はコイルスプリング２７の附勢力に抗し、ローラ２３が取り付けられたピストン部材２５を押し上げる。
【００２５】
この時に、円状側板１５の回転にはブレーキがかけられることとなるが、減速大径ギア１２は変わらず定速での回転を続けている。この回転速度の差異によって捩りスプリング１６は絞り捩られ、復元力のパワーを蓄積していくこととなる。
【００２６】
やがて、突出部２２とローラ２３との転接は突出部２２の頂面を越えることで終了し、この時にバレル１４にかけられていたブレーキ作用は一気に解除される。このブレーキ作用の解除によって絞り捩られていた捩りスプリング１６が一気に復元し、この急激な加力によってバレル１４には揺振動が生じさせられる。このバレル１４の揺振動によってバレル１４内で重合あるいは絡み合っていたワークはその状態が解消されることとなるのである。この動作はめっき作業中に繰り返して実行されることとなり、めっきのむら等の発生を防止することができる。
【産業上の利用可能性】
【００２７】
本発明はバレルに対して急激な揺振動を与え、バレル内に投入されているワークの重合や絡み合いを解消するものであるので、めっきのほかにも研磨や洗浄等の作業用としても応用実施することが可能である。
【図面の簡単な説明】
【００２８】
【図１】本発明を実施したバレルめっき装置を示す正面図である。
【図２】側面図である。
【図３】捩りスプリングを示す拡大図である。
【図４】突出部とローラの関係を示す図である。
【図５】ローラの取付状態を示す正面図である。
【符号の説明】
【００２９】
１      バレルめっき装置本体
２ａ    支持板
２ｂ    支持板
３      突起
４      バー
５      グリップバー
６      パイプ
７      駆動モータ
８      取り付け部
９      起動ギア
１０ａ  伝動ギア
１０ｂ  伝動ギア
１０ｃ  伝動ギア
１１    受板
１２    減速大径ギア
１３    軸
１４    バレル
１５    円状側板
１６    捩りスプリング
１７    胴壁板
１８    蓋体
１９    翼体
２０    ロックプレート
２０ａ  摘み
２１    電極
２２    突出部
２３    ローラ
２４    シリンダー
２５    ピストン部材
２５ａ  平板部
２６    軸
２７    コイルスプリング
２８    ガイド溝
２９    ストッパピン
【図１】
2006037191.tif 000003
【図２】
2006037191.tif 000004
【図３】
2006037191.tif 000005
【図４】
2006037191.tif 000006
【図５】
2006037191.tif 000007